(57)【要約】      （修正有）【課題】荷物発送時に包装用箱に製品を入れる際に、柔らかい紙で包み込む事が出来、罫線が入っているので谷折れ、山折れする事で製品を密着させて空間を包み込む事で製品が動かない様にするシートを提供する。【解決手段】シート１は、シート１の一辺にほぼ平行する一本以上の谷折れ罫線３、３’と、谷折れ罫線３、３’と平行な少なくとも一本以上の山折れ罫線４、４’とを有し、対をなす谷折れ罫線３、３’と山折れ罫線４、４’に対して、ほぼ直角に複数の切れ目、折れ目或いは凹凸からなる筋２を設けてある。シート１を用いて、谷折れ罫線３、３’を折り曲げる事により製品を包み込む事が出来、尚且つ山折れ罫線４、４’を反対側に折り込む事により製品を固定し、過剰包装だった資材を減らす事に役立つ。【選択図】図１
0003228086.tif 000002
【実用新案登録請求の範囲】
【請求項１】
シートの一辺にほぼ平行する一本以上の谷折れ線を有し、且つ谷折れ線と平行な少なくとも一本以上の山折れ線を有し、該谷折れ線及び山折れに対してほぼ直角方向に容易に折り曲げる事が可能である事を特徴とするシート。
【請求項２】
請求項１において、設けられる少なくとも一対以上の谷折れ線と山折れ線に対して、ほぼ直角に複数の筋等を設けた事を特徴とするシート。
【請求項３】
請求項１ないし２において山折れ線、谷折れ線とほぼ直角に設けられる複数の筋が切れ目、折れ目或いは凹凸を有する筋などである事を特徴とするシート。
【考案の詳細な説明】
【技術分野】
【０００１】本考案は、荷物発送時に包装用箱に製品を入れ、該荷物が外部からの衝撃や振動によって破損しないように、クッション性のある緩衝材を包装用箱の内側と荷物との間や荷物と荷物の間に介在させるが、その緩衝材を少量で足りるようにする為の技術分野に属する。
【背景技術】
【０００２】緩衝材として用いられるものには、古紙をシュレッダーで截断した物や体裁のよいものとしては、シート状プラスチック発泡体、団塊状プラスチック発泡体、ポリエチレンフィルム２枚を含む気球体状に貼り合せた商品名「エアーバック、プチプチ」等最近では地球温暖化問題などにより、再資源化が可能で環境負荷の少ない材料を使用した製品が求められている、そこで片面ダンボールなどの１００％再利用が可能な材料を使用し、また出来るだけ使用量を少なくしながら十分な機能を有した製品の開発が急務である。廃棄時に土壌に埋め、分解させる植物由来の生分解性緩衝材が用いられるなど、緩衝用資材の高品質化が進んでいる。
【先行技術文献】
【０００３】
【特許文献】
【特許文献】実新案登録第３１３９６８３号
【考案の概要】
【考案が解決しようとする課題】
【０００４】高品質の緩衝材は当然に割高であり、少量の緩衝材で高度の耐衝撃性の梱包技術が要求される。【０００５】段ボール箱を収納可能状態に組立て、荷物と共に必要な緩衝材を介在させ、その上部に本考案の形態の片面段ボール緩衝材を押し込むことで、荷物を固定し、梱包することにより、緩衝材の必要量を抑制せんとする。【０００６】上述のように、本考案の梱包用資材は片面段ボール緩衝材であるから、僅かな材料と手間で必要な緩衝材を減量しても、内容物を安全に輸送し得るばかりでなく、輸送資材使用後の廃棄量の減少にも役立つ。
【課題を解決するための手段】
【０００７】本考案シート緩衝材の波形長手方向を段ボール箱の上面内寸の長い方の寸法と同じに截断し、その中央部に包装用箱の内寸と同じサイズで二本の谷折れ、山折れの罫線を設け、その両脇に加圧保持面を設け、波状面が内側になるように谷折れの罫線で折り曲げ、山折れの罫線で荷物を抑えるように押し込むことにより、輸送中の荷物が動かないないようにした優れた包装用のシート緩衝材を提供する物である。
【考案の効果】
【０００８】本考案シート１は一辺にほぼ平行する一本以上の谷折れ線３、３’を有し、且つ谷折れ線と平行な少なくとも一本以上の山折れ線４、４’を有し、該谷折れ線及び山折れに対してほぼ直角方向に容易に折り曲げる事が出来るシートであり、本シートを用いる事により包まれる材料の保護が固定効果もあってより高まる物である。【０００９】本考案シートの特徴は設けられる少なくとも一対以上の谷折れ線と山折れ線に対して、ほぼ直角に複数の筋等を設ける事を特徴とする。【００１０】本考案シート１は山折れ線、谷折れ線とほぼ直角に設けられる複数の筋が切れ目、折れ目或いは凹凸を有する筋２であって本シートに用いる事が出来る材料は一定の硬さを有するシート、例えば片面ダンボール、両面ダンボール、コート紙、ボール紙、ボーガスペーパー、ライナー紙、クラフト紙、中芯、晒クラフト紙などが好適であり、柔軟性の高いシート、例えばクレープ紙、ミラマット、ペーパークロス、アプトンなどの物であっても良い。【００１１】本考案による谷折れ線と山折れ線を設ける事は多少硬かったりゴワツいたりするシートであっても詰める際に作業を容易にして段ボールケースに詰め易くして効率を上げる為である。
【図面の簡単な説明】
【００１２】
【図１】本考案のシートの一例を示す
【図２】本考案のシートを用いて段ボールの中に一個の品物を包む時の流れを示す図
【図３】本考案のシートを用いて段ボールの中に二個の品物を包む時の流れを示す図
【考案を実施するための形態】
【００１３】実施例にて以下に説明する。
【実施例１】包装用箱５の内側（内寸）サイズより充分大きく包む事が出来る長さの本考案シートに３、４、３’４’谷折れ、山折れの罫線二本を入れて中身の製品を入れる事で自然に本考案シートの谷折れ罫線３、３’が折り目に沿って折り曲がり包装用箱の底面にピッタリ収まり、製品をくるみ底面まで本考案シートを押し込む事によって押し潰れ包装用箱と本考案シートの隙間が無くなる事に寄って製品が動かなくなる。さらにもう二本の４４’山折れ罫線を今度は反対側に折り込む事に寄ってさらに空間がなくなる事に寄って完全に密着するので輸送中に製品が動く事が無くなる。以上の説明は製品一つの場合の梱包方法で製品を２つ梱包する場合は同じ様に一つ製品を包み、包装用箱の反対側の空間を包み込む事で２つ包む事を特徴とする
本考案シート。
【実施例２】
【００１４】包装用箱５の内側（内寸）サイズより充分大きく包む事が出来る長さの本考案シートがミラマットによる物であり、発砲ポリエチレン（ミラマット）に３、４、３’４’谷折れ、山折れの罫線二本を入れて中身の製品を入れる事で自然に本考案シート（ミラマット）の谷折れ罫線３、３’が折り目に沿って折り曲がり包装用箱の底面にピッタリ収め、製品をくるみ底面まで本考案シート（ミラマット）を押し込む事によって押し潰れ包装用箱と本考案シート（ミラマット）の隙間が無くなる事に寄って製品が動かなくなる。さらにもう二本の４４’山折れ罫線を今度は反対側に折り込む事に寄ってさらに空間がなくなる事に寄って完全に密着するので輸送中に製品が動く事が無くなる。以上の説明は製品一つの場合の梱包方法で製品を２つ梱包する場合は同じ様に一つ製品を包み、包装用箱の反対側の空間を包み込む事で２つ包む事を特徴とする本考案シート。
【実施例３】
【００１５】包装用箱５の内側（内寸）サイズより充分大きく包む事が出来る長さの本考案シートがライナー紙による物であり、古紙（ライナー紙）に３、４、３’４’谷折れ、山折れの罫線二本を入れて中身の製品を入れる事で自然に本考案シート（ライナー紙）谷折れ罫線３、３’が折り目に沿って折り曲がり包装用箱の底面にピッタリ収まり、製品をくるみ底面まで本考案シート（ライナー紙）押し込む事によって押し潰れ包装用箱と本考案シート（ライナー紙）隙間が無くなる事に寄って製品が動かなくなる。さらにもう二本の４４’山折れ罫線を今度は反対側に折り込む事に寄ってさらに空間がなくなる事に寄って完全に密着するので輸送中に製品が動く事が無くなる。以上の説明は製品一つの場合の梱包方法で製品を２つ梱包する場合は同じ様に一つ製品を包み、包装用箱の反対側の空間を包み込む事で２つ包む事を特徴とする
【実施例４】
【００１６】包装用箱５の内側（内寸）より充分大きく包む事が出来る長さの本考案シートがクレープ紙による物であり、シワ加工により紙に厚みが生まれ、感触がソフトに、布の変わりに使える（クレープ紙）に３、４、３’４’谷折れ、山折れの罫線二本を入れて中身の製品を入れる事で自然に本考案シート（クレープ紙）の谷折れ罫線３、３’が折り目に沿って折り曲がり包装用箱の底面にピッタリ収まり、製品をくるみ底面まで本考案シート（クレープ紙）を押し込む事によって押し潰れ包装用箱と本考案シート（クレープ紙）の隙間が無くなる事に寄って製品が動かなくなる。さらにもう二本の４４’山折れ罫線を今度は反対側に折り込む事に寄ってさらに空間がなくなる事に寄って完全に密着するので輸送中に製品が動く事が無くなる。以上の説明は製品一つの場合の梱包方法で製品を２つ梱包する場合は同じ様に一つ製品を包み、包装用箱の反対側の空間を包み込む事で２つ包む事を特徴とする本考案シート。
【実施例５】
【００１７】包装用箱５の内側（内寸）より充分大きく包む事が出来る長さの本考案シートがアプトンによる物であり、ポリエチレン樹脂をコルゲート（波形）形状に成形した（アプトン）に３、４、３’４’谷折れ、山折れの罫線二本を入れて中身の製品を入れる事で自然に本考案シート（アプトン）の谷折れ罫線３、３’が折り目に沿って折り曲がり包装用箱の底面にピッタリ収まり、製品をくるみ底面まで本考案シート（アプトン）を押し込む事によって押し潰れ包装用箱と本考案シート（アプトン）の隙間が無くなる事に寄って製品が動かなくなる。さらにもう二本の４４’山折れ罫線を今度は反対側に折り込む事に寄ってさらに空間がなくなる事に寄って完全に密着するので輸送中に製品が動く事が無くなる。以上の説明は製品一つの場合の梱包方法で製品を２つ梱包する場合は同じ様に一つ製品を包み、包装用箱の反対側の空間を包み込む事で２つ包む事を特徴とする本考案シート。
【実施例６】
【００１８】包装用箱５の内側（内寸）サイズより充分大きく包む事が出来る長さの本考案シートがボーガスペーパーによる物であり、マンガ雑誌などの古紙を使用している（ボーガスペーパー）に３、４、３’４’谷折れ、山折れの罫線二本を入れて中身の製品を入れる事で自然に本考案シート（ボーガスペーパー）の谷折れ罫線３、３’が折り目に沿って折り曲がり包装用箱の底面にピッタリ収まり、製品をくるみ底面まで本考案シート（ボーガスペーパー）を押し込む事によって押し潰れ包装用箱と本考案シート（ボーガスペーパー）の隙間が無くなる事に寄って製品が動かなくなる。さらにもう二本の４４’山折れ罫線を今度は反対側に折り込む事に寄ってさらに空間がなくなる事に寄って完全に密着するので輸送中に製品が動く事が無くなる。以上の説明は製品一つの場合の梱包方法で製品を２つ梱包する場合は同じ様に一つ製品を包み、包装用箱の反対側の空間を包み込む事で２つ包む事を特徴とする
本考案シート。
【実施例７】
【００１９】包装用箱５の内側（内寸）サイズより充分大きく包む事が出来る長さの本考案シートがクラフト紙による物であり、針葉樹を原料とした、繊維の長い未晒のクラフトパルプを使用している（クラフト紙）に３、４、３’４’谷折れ、山折れの罫線二本を入れて中身の製品を入れる事で自然に本考案シート（クラフト紙）中折れ罫線３、３’が折り目に沿って折り曲がり包装用箱の底面にピッタリ収まり、製品をくるみ底面まで本考案シート（クラフト紙）を押し込む事によって押し潰れ包装用箱と本考案シート（クラフト紙）の隙間が無くなる事に寄って製品が動かなくなる。さらにもう二本の４４’山折れ罫線を今度は反対側に折り込む事に寄ってさらに空間がなくなる事に寄って完全に密着するので輸送中に製品が動く事が無くなる。以上の説明は製品一つの場合の梱包方法で製品を２つ梱包する場合は同じ様に一つ製品を包み、包装用箱の反対側の空間を包み込む事で２つ包む事を特徴とする
本考案シート。
【実施例８】
【００２０】包装用箱５の内側（内寸）サイズより充分大きく包む事が出来る長さの本考案シートがハトロン紙による物であり、片面つや出しした褐色の（ハトロン）に３、４、３’４’谷折れ、山折れの罫線二本を入れて中身の製品を入れる事で自然に本考案シート（ハトロン）の谷折れ罫線３、３’が折り目に沿って折り曲がり包装用箱の底面にピッタリ収まり、製品をくるみ底面まで本考案シート（ハトロン）を押し込む事によって押し潰れ包装用箱と本考案シート（ハトロン）の隙間が無くなる事に寄って製品が動かなくなる。さらにもう二本の４４’山折れ罫線を今度は反対側に折り込む事に寄ってさらに空間がなくなる事に寄って完全に密着するので輸送中に製品が動く事が無くなる。以上の説明は製品一つの場合の梱包方法で製品を２つ梱包する場合は同じ様に一つ製品を包み、包装用箱の反対側の空間を包み込む事で２つ包む事を特徴とする
本考案シート。
【符号の説明】
【００２１】１．本考案シート
２．筋
３．３｀谷折れの罫線
４．４｀山折れの罫線
５．包装用箱
【図１】
0003228086.tif 000003
【図２】
0003228086.tif 000004
【図３】
0003228086.tif 000005
【手続補正書】
【提出日】令和2年6月8日(2020.6.8)
【手続補正１】
【補正対象書類名】実用新案登録請求の範囲
【補正対象項目名】全文
【補正方法】変更
【補正の内容】
【実用新案登録請求の範囲】
【請求項１】
シートの一辺にほぼ平行する一本以上の谷折れ線と、該谷折れ線と平行な少なくとも一本以上の山折れ線とを有し、該谷折れ線と山折れ線は対になるように設けられており、対をなす谷折れ線と山折れ線に対して、ほぼ直角に複数の切れ目、折れ目或いは凹凸からなる筋を設けたことを特徴とするシート。